(57)【要約】【課題】被測定者が小児である場合にも適した体組成情報取得システムを提供すること。【解決手段】本発明の第一の観点によれば、被測定者の少なくとも性別、年齢、身長、体重及び生体電気インピーダンスを特定するための情報を入力するための入力手段と、入力された情報に基づいて被測定者の体組成データを算出するための演算手段と、算出された体組成データを出力するための出力手段とを備えてなる体組成情報取得システムであって、前記出力手段は、体組成データの出力形態を変更する出力形態変更手段を含んでなることを特徴とする体組成情報取得システムが提供される。これにより、成人が見るのに適した出力形態と、小児が見るのに適した出力形態とを、適宜変更して出力することができる。【選択図】      図７
2005245669.tif 000002
【特許請求の範囲】
【請求項１】
被測定者の少なくとも性別、年齢、身長、体重及び生体電気インピーダンスを特定するための情報を入力するための入力手段と、入力された情報に基づいて被測定者の体組成データを算出するための演算手段と、算出された体組成データを出力するための出力手段とを備えてなる体組成情報取得システムであって、前記出力手段は、体組成データの出力形態を変更する出力形態変更手段を含んでなることを特徴とする体組成情報取得システム。
【請求項２】
前記出力形態変更手段は、入力された情報に基づいて特定された被測定者の年齢に応じて、体組成データの出力形態を変更することを特徴とする請求項１記載の体組成情報取得システム。
【請求項３】
被測定者の少なくとも性別、年齢、身長、体重及び生体電気インピーダンスを特定するための情報を入力するための入力手段と、入力された情報に基づいて被測定者の体組成データを算出するための演算手段と、算出された体組成データを出力するための出力手段と、入力された個人情報及び算出された体組成データを蓄積するための蓄積手段とを備えてなる体組成情報取得システムであって、前記出力手段は、前記蓄積手段に蓄積された個人情報及び体組成データに基づいて、身長又は年齢の変化に対する体組成データの変化履歴を更に出力することを特徴とする体組成情報取得システム。
【請求項４】
前記出力手段は、前記体組成データの変化履歴を、一方の軸を身長又は年齢とし他方の軸を体組成データとしたグラフを用いて出力することを特徴とする請求項３記載の体組成情報取得システム。
【請求項５】
前記出力手段は、所定の身長範囲又は年齢範囲における体組成の変化の一般傾向に関するコメントを更に出力することを特徴とする請求項３又は４記載の体組成情報取得システム。
【請求項６】
前記出力手段は、前記演算手段で算出された体組成データと被測定者の現在の身長又は年齢において標準的な体組成データとの比較に基づくコメントを更に出力することを特徴とする請求項３乃至５記載の体組成情報取得システム。
【請求項７】
前記出力手段は、前記演算手段で算出された体組成データと前記蓄積手段に蓄積されている体組成データとの比較に基づくコメントを更に出力することを特徴とする請求項３乃至６記載の体組成情報取得システム。
【請求項８】
被測定者の少なくとも性別、年齢、身長、体重及び生体電気インピーダンスを特定するための情報を入力するための入力手段と、入力された情報に基づいて被測定者の体組成データを算出するための演算手段と、算出された体組成データを出力するための出力手段と、入力された個人情報及び算出された体組成データを蓄積するための蓄積手段とを備えてなる体組成情報取得システムであって、前記演算手段は、前記蓄積手段に蓄積された体組成データに基づいて、所定期間ごとの体組成データの変化率を更に算出し、前記蓄積手段は、この算出された体組成データの変化率を更に蓄積し、且つ、前記出力手段は、この蓄積された体組成データの変化率に基づいて、前記所定期間ごとの体組成データの変化率の変化履歴を出力することを特徴とする体組成情報取得システム。
【請求項９】
前記出力手段は、前記所定期間ごとの体組成データの変化率の変化履歴を、一方の軸を前記所定期間とし他方の軸を体組成データの変化率としたグラフを用いて出力することを特徴とする請求項８記載の体組成情報取得システム。
【請求項１０】
前記所定期間は、被測定者の年齢が同一である期間とされていることを特徴とする請求項８又は９記載の体組成情報取得システム。
【請求項１１】
前記出力手段は、所定の年齢範囲における体組成の変化の一般傾向に関するコメントを更に出力することを特徴とする請求項１０記載の体組成情報取得システム。
【発明の詳細な説明】
【技術分野】
【０００１】
この発明は、被測定者の性別、年齢、身長、体重及び生体電気インピーダンス等に基づいて体脂肪量（率）、体水分量（率）、筋肉量（率）、内蔵脂肪面積（レベル）、骨量、骨密度、ＢＣＭ（Body Cell Mass）、基礎代謝量等の体組成データを取得する体組成情報取得システムに関し、特に被測定者が小児である場合にも適した体組成情報取得システムに関する。
【背景技術】
【０００２】
被測定者の性別、年齢、身長、体重及び生体電気インピーダンス等に基づいて、体脂肪量（率）、体水分量（率）、筋肉量（率）、内蔵脂肪面積（レベル）、骨量、骨密度、ＢＣＭ（Body Cell Mass）、基礎代謝量等の体組成データ（以下、単に「体組成データ」と総称する。）を取得する体組成情報取得システムは、現在では多くの一般家庭に普及し始めている。斯かる体組成情報取得システムの一種として特によく知られている所謂体重計型体脂肪計では、電子体重計の載台面に生体電気インピーダンス測定用の電極群が配設されており、この電極群を用いて測定された両足間の生体電気インピーダンスと、被測定者の身長、体重、性別、年齢等といった個人情報とから、公知の生体電気インピーダンス法に基づく適切な回帰演算式を用いて、被測定者の体組成データたる体脂肪量（率）を算出している（例えば、特許文献１参照。）。
【０００３】
また、前記体重計型体脂肪計に電子身長計を付加して、身長についても体重や生体電気インピーダンスと同様に自動的に測定可能とした体組成情報取得システムも知られている（例えば、特許文献２及び３参照。）。また、算出した体組成データを蓄積しておき、例えば日ごと、週ごと、月ごとの変化履歴をグラフ表示可能とした体組成情報取得システムも知られている（例えば、特許文献４参照。）。
【０００４】
更に、本願出願人は、上述の如き体組成情報取得システムを含む各種の生体情報取得装置に関し、本体とこの本体に対して別体且つ着脱自在に構成された記憶装置とを備えた生体情報取得装置を提案している（特許文献５参照。）。これによれば、本体で取得した生体情報を記憶装置に記憶させ、この記憶装置を本体から取外してパソコン等の外部の情報処理装置に接続することにより、本体で取得した生体情報を外部の情報処理装置に容易に送出して蓄積し、前述の変化履歴の管理等に供することができる。
【０００５】
【特許文献１】特公平５−４９０５０号公報
【特許文献２】特許第２８３５６６２号公報
【特許文献３】特開２００１−２５２２５８号公報
【特許文献４】特開２００１−１９０５１４号公報
【特許文献５】特願２００３−５２４１０号明細書
【発明の開示】
【発明が解決しようとする課題】
【０００６】
上述の如き従来の体組成情報取得システムは、被測定者としては主に成人が想定されているため、特に被測定者が小児である場合には、次に掲げるような種々の問題を生じており、改善が望まれている。
【０００７】
一つには、これら従来の体組成情報取得システムは、取得された体組成データの表示に漢字や英文字が多用されていたり、或いは簡潔で面白みの無い数値やグラフが表示されるだけであったりする。斯かる表示は、もちろん成人にとっては簡潔で解り易いものであるのだが、小児にとっては難解で、興味を起こさせるものではない。
【０００８】
成長過程にある小児こそ、例えば特許文献４や特許文献５に開示された如き体組成情報取得システムを用いて継続的に体組成データを取得し、その変化履歴を観察することが望ましいが、取得された体組成データの表示が難解で興味を起こさせるものでないため、小児は体組成情報取得システムの継続的な使用を止めてしまいかねない。
【０００９】
そこで、取得された体組成データの表示を、例えばひらがなや漫画チックな絵を用いて小児にとって解り易く、楽しめるものにしようとすると、今度は成人にとって見難く、或いは取得された体組成データに威厳を感じられないものとなってしまい、成人の方が継続的な使用を止めてしまいかねない。
【００１０】
或いは、これら従来の体組成情報取得システムの中には、例えば特許文献１や特許文献４に開示されている如く、取得された体組成データに係る理想値や判定結果を表示することで被測定者の体組成データの適否を知り得るものや、取得された体組成データを時系列で表示することでその変化の経過を観察し得るものがある。
【００１１】
しかしながら、従来の体組成情報取得システムで表示される理想値や判定用の基準範囲も、通常は１８歳以上の成人について設けられているため、小児を含む１８歳未満の者にとっては参考にならず、また経過観察に関しても、成長過程にある小児の体組成が増加するのは当然のことであるにも拘らず、従来の体組成情報取得システムでは生体情報が時系列で表示されるだけであるため、その増え方の適否検討に供し得るものではない。
【００１２】
もちろん、身長、体重、座高については年齢ごとの平均的な値というものが厚生労働省や文部科学省から発表されているので、これらを参照して適正かどうかを判断することができる。しかしながら、体脂肪量、筋肉量、骨量等の体組成データについてはそのようなものがない。
【００１３】
また、最近では、年齢に対するＢＭＩ（Body Mass Index：体格指数＝体重／身長２）の成長曲線が発表されているが、体重と身長とから算出されるＢＭＩでは、筋肉量が多いために体重が重くなっている所謂アスリート体型の者を肥満と評価してしまったり、体重は少ないが相対的な体脂肪量が多い所謂隠れ肥満の者を適正と評価してしまうといった根本的な問題があるのに加え、特に成長過程にある小児の場合は、同年齢であっても身長差の大きいことが少なくなく、高身長と低身長とでＢＭＩが大きく違ってしまうため、ＢＭＩを利用した体型評価には注意が必要であるとも言われている。
【００１４】
従って、本発明は、上述した種々の問題を解決し、被測定者が小児である場合にも適した体組成情報取得システムを提供することを課題とする。
【課題を解決するための手段】
【００１５】
本発明の第一の観点によれば、被測定者の少なくとも性別、年齢、身長、体重及び生体電気インピーダンスを特定するための情報を入力するための入力手段と、入力された情報に基づいて被測定者の体組成データを算出するための演算手段と、算出された体組成データを出力するための出力手段とを備えてなる体組成情報取得システムであって、前記出力手段は、体組成データの出力形態を変更する出力形態変更手段を含んでなることを特徴とする体組成情報取得システムが提供される。
【００１６】
ここで、前記出力形態変更手段は、入力された情報に基づいて特定された被測定者の年齢に応じて、体組成データの出力形態を変更するものであることが望ましい。
【００１７】
或いは、本発明の第二の観点によれば、被測定者の少なくとも性別、年齢、身長、体重及び生体電気インピーダンスを特定するための情報を入力するための入力手段と、入力された情報に基づいて被測定者の体組成データを算出するための演算手段と、算出された体組成データを出力するための出力手段と、入力された個人情報及び算出された体組成データを蓄積するための蓄積手段とを備えてなる体組成情報取得システムであって、前記出力手段は、前記蓄積手段に蓄積された個人情報及び体組成データに基づいて、身長又は年齢の変化に対する体組成データの変化履歴を更に出力することを特徴とする体組成情報取得システムが提供される。
【００１８】
ここで、前記出力手段は、前記体組成データの変化履歴を、一方の軸を身長又は年齢とし他方の軸を体組成データとしたグラフを用いて出力するものであることが望ましい。
【００１９】
また、前記出力手段は、所定の身長範囲又は年齢範囲における体組成の変化の一般傾向に関するコメントを更に出力するものであることが望ましい。
【００２０】
また、前記出力手段は、前記演算手段で算出された体組成データと被測定者の現在の身長又は年齢において標準的な体組成データとの比較に基づくコメントを更に出力するものであることが望ましい。
【００２１】
また、前記出力手段は、前記演算手段で算出された体組成データと前記蓄積手段に蓄積されている体組成データとの比較に基づくコメントを更に出力するものであることが望ましい。
【００２２】
或いは、本発明の第三の観点によれば、被測定者の少なくとも性別、年齢、身長、体重及び生体電気インピーダンスを特定するための情報を入力するための入力手段と、入力された情報に基づいて被測定者の体組成データを算出するための演算手段と、算出された体組成データを出力するための出力手段と、入力された個人情報及び算出された体組成データを蓄積するための蓄積手段とを備えてなる体組成情報取得システムであって、前記演算手段は、前記蓄積手段に蓄積された体組成データに基づいて、所定期間ごとの体組成データの変化率を更に算出し、前記蓄積手段は、この算出された体組成データの変化率を更に蓄積し、且つ、前記出力手段は、この蓄積された体組成データの変化率に基づいて、前記所定期間ごとの体組成データの変化率の変化履歴を出力することを特徴とする体組成情報取得システムが提供される。
【００２３】
ここで、前記出力手段は、前記所定期間ごとの体組成データの変化率の変化履歴を、一方の軸を前記所定期間とし他方の軸を体組成データの変化率としたグラフを用いて出力するものであることが望ましい。
【００２４】
また、前記所定期間は、被測定者の年齢が同一である期間とされているものであることが望ましい。
【００２５】
特にこのとき、前記出力手段は、所定の年齢範囲における体組成の変化の一般傾向に関するコメントを更に出力するものであることが望ましい。
【発明の効果】
【００２６】
本発明の第一の観点による体組成情報取得システムでは、算出された体組成データを出力するための出力手段が、その出力形態を変更する出力形態変更手段を含んでいるため、成人が見るのに適した出力形態と、小児が見るのに適した出力形態とを、適宜変更して出力することができる。即ち、被測定者が成人であれば、従前の如き漢字や英文字を多用した、或いは数値やグラフを簡潔に表示するような出力形態を以って体組成データを出力し、被測定者が小児であれば、例えばひらがなや漫画チックな絵を多用した出力形態を以って体組成データを出力することができる。従って、小児であっても興味を持って使用し続けるようになり、被測定者が小児である場合にも適した体組成情報取得システムとすることができる。
【００２７】
ここで、出力形態変更手段を、入力された情報に基づいて特定された被測定者の年齢に応じてその出力形態を変更するものとすれば、被測定者は体組成データの算出に必要な情報を入力するだけで、その年齢に応じた適切な出力形態を以って体組成データが出力されることとなる。即ち、出力形態の変更のために特別な操作を必要としないため、被測定者たる小児自身でも容易に使用し得る体組成情報取得システムとすることができる。
【００２８】
本発明の第二の観点による体組成情報取得システムでは、被測定者の身長又は年齢の変化に対する体組成データの変化履歴が出力されるので、被測定者が成長過程にある小児であっても、その成長度合いが顕著に現われる身長又はその成長度合いを直接的に表す年齢の変化との対比において体組成の増加の様子を知ることができる。従って、被測定者が小児であってもその体組成の増え方の適否検討に供することが可能な、被測定者が小児である場合に適した体組成情報取得システムとすることができる。
【００２９】
ここで、前記出力手段が、前記身長又は年齢の変化に対する体組成データの変化履歴を、一方の軸を身長又は年齢とし他方の軸を体組成データとしたグラフを用いて出力するものであれば、体組成の増加の様子を一見して捉えることが可能となるので、被測定者たる小児自身が見る場合でもその出力を容易に理解し得る体組成情報取得システムとすることができる。
【００３０】
また、前記出力手段が、所定の身長範囲又は年齢範囲における体組成の変化の一般傾向に関するコメントを更に出力するものであれば、被測定者が成長過程にある小児であっても、身長又は年齢の変化に対する体組成データの変化履歴に加え、所定の身長範囲又は年齢範囲においては一般的にどのような体組成の変化が生じるものであるのかを知ることが可能となり、従って被測定者が小児である場合に更に適した体組成情報取得システムとすることができる。
【００３１】
また、前記出力手段が、算出された体組成データと被測定者の現在の身長又は年齢において標準的な体組成データとの比較に基づくコメントを更に出力するものであれば、被測定者が成長過程にある小児であっても、身長又は年齢の変化に対する体組成データの変化履歴に加え、同じ身長又は年齢における標準的な体組成データと比べて被測定者の体組成がどのような状態にあるのかを知ることが可能となり、体組成の増え方の適否検討に供することが可能となって、被測定者が小児である場合に更に適した体組成情報取得システムとすることができる。
【００３２】
また、前記出力手段が、算出された体組成データと前記蓄積手段に蓄積されている体組成データとの比較に基づくコメントを更に出力するものであれば、被測定者が成長過程にある小児であっても、身長又は年齢の変化に対する体組成データの変化履歴に加え、その変化が適正なものであるのかどうかを知ることが可能となり、体組成の増え方の適否検討に供することが可能となって、被測定者が小児である場合に更に適した体組成情報取得システムとすることができる。
【００３３】
本発明の第三の観点による体組成情報取得システムでは、被測定者の所定期間ごとの体組成データの変化率の変化履歴が出力されるので、被測定者が成長過程にある小児であっても、所定期間ごとにその体組成がどの程度変化したのかを知ることができる。従って、被測定者が小児であってもその体組成の増え方の適否検討に供することが可能な、被測定者が小児である場合に適した体組成情報取得システムとすることができる。
【００３４】
ここで、前記出力手段が、前記所定期間ごとの体組成データの変化率の変化履歴を、一方の軸を前記所定期間とし他方の軸を体組成データの変化率としたグラフを用いて出力するものであれば、所定期間ごとに体組成がどの程度増加したのかを一見して捉えることが可能となるので、被測定者たる小児自身が見る場合でもその出力を容易に理解し得る体組成情報取得システムとすることができる。
【００３５】
また、前記所定期間が、被測定者の年齢が同一である期間とされていれば、成長度合いを直接的に表す年齢の変化との対比において体組成データの変化率を知ることが可能となるので、被測定者が小児である場合に適した体組成情報取得システムとすることができる。
【００３６】
特にこのとき、前記出力手段が、所定の年齢範囲における体組成の変化の一般傾向に関するコメントを更に出力するものであれば、被測定者が成長過程にある小児であっても、年齢の変化に対する体組成データの変化率の変化履歴に加え、所定の年齢範囲においては一般的にどのような体組成の変化が生じるものであるのかを知ることが可能となり、従って被測定者が小児である場合に更に適した体組成情報取得システムとすることができる。
【発明を実施するための最良の形態】
【００３７】
第一の観点による本発明の体組成情報取得システムは、被測定者の少なくとも性別、年齢、身長、体重及び生体電気インピーダンスを特定するための情報を入力するための入力手段と、入力された情報に基づいて被測定者の体組成データを算出するための演算手段と、算出された体組成データを出力するための出力手段とを備えてなる体組成情報取得システムであって、前記出力手段は、体組成データの出力形態を変更する出力形態変更手段を含んでなることとする。
【００３８】
ここで、前記出力形態変更手段は、入力された情報に基づいて特定された被測定者の年齢に応じて、体組成データの出力形態を変更するものであることが望ましい。
【００３９】
第二の観点による本発明の体組成情報取得システムは、被測定者の少なくとも性別、年齢、身長、体重及び生体電気インピーダンスを特定するための情報を入力するための入力手段と、入力された情報に基づいて被測定者の体組成データを算出するための演算手段と、算出された体組成データを出力するための出力手段と、入力された個人情報及び算出された体組成データを蓄積するための蓄積手段とを備えてなる体組成情報取得システムであって、前記出力手段は、前記蓄積手段に蓄積された個人情報及び体組成データに基づいて、身長又は年齢の変化に対する体組成データの変化履歴を更に出力することとする。
【００４０】
ここで、前記出力手段は、前記体組成データの変化履歴を、一方の軸を身長又は年齢とし他方の軸を体組成データとしたグラフを用いて出力するものであることが望ましい。
【００４１】
また、前記出力手段は、所定の身長範囲又は年齢範囲における体組成の変化の一般傾向に関するコメントを更に出力するものであることが望ましい。
【００４２】
また、前記出力手段は、前記演算手段で算出された体組成データと被測定者の現在の身長又は年齢において標準的な体組成データとの比較に基づくコメントを更に出力するものであることが望ましい。
【００４３】
また、前記出力手段は、前記演算手段で算出された体組成データと前記蓄積手段に蓄積されている体組成データとの比較に基づくコメントを更に出力するものであることが望ましい。
【００４４】
第三の観点による本発明の体組成情報取得システムは、被測定者の少なくとも性別、年齢、身長、体重及び生体電気インピーダンスを特定するための情報を入力するための入力手段と、入力された情報に基づいて被測定者の体組成データを算出するための演算手段と、算出された体組成データを出力するための出力手段と、入力された個人情報及び算出された体組成データを蓄積するための蓄積手段とを備えてなる体組成情報取得システムであって、前記演算手段は、前記蓄積手段に蓄積された体組成データに基づいて、所定期間ごとの体組成データの変化率を更に算出し、前記蓄積手段は、この算出された体組成データの変化率を更に蓄積し、且つ、前記出力手段は、この蓄積された体組成データの変化率に基づいて、前記所定期間ごとの体組成データの変化率の変化履歴を出力することとする。
【００４５】
ここで、前記出力手段は、前記所定期間ごとの体組成データの変化率の変化履歴を、一方の軸を前記所定期間とし他方の軸を体組成データの変化率としたグラフを用いて出力するものであることが望ましい。
【００４６】
また、前記所定期間は、被測定者の年齢が同一である期間とされているものであることが望ましい。
【００４７】
特にこのとき、前記出力手段は、所定の年齢範囲における体組成の変化の一般傾向に関するコメントを更に出力するものであることが望ましい。
【実施例】
【００４８】
以下、図面を参照して本発明の実施例を説明する。図１は、生体情報取得装置１０と情報処理装置３０とで構成された、本発明の好適実施例としての体組成情報取得システム１００の外観斜視図である。また、図２は、生体情報取得装置１０に内蔵された電気回路の概要を示すブロック図である。そして、図３及び図４は、この体組成情報取得システム１００における制御処理の流れを示すフローチャートであり、図５から図１２は、この体組成情報取得システム１００における出力の例を示す図である。
【００４９】
図１及び図２に示すように、この体組成情報取得システム１００は、生体情報取得装置１０と情報処理装置３０とで構成されている。ここで、生体情報取得装置１０は、本体１１と、この本体１１に対して別体且つ着脱自在に構成された記憶装置１とを備えており、本体１１で取得した生体情報（体組成データを含む。）を、破線で示す如く記憶装置１を介して外部の情報処理装置３０に送ることが可能とされている。また、情報処理装置３０は、送られてきた生体情報を蓄積すると共に、所定の形態でモニタ画面３２に出力することが可能とされている。
【００５０】
本体１１について更に詳述すると、この本体１１は、基本的には公知のロードセル１２（図２参照）が組込まれた体重計として構成されており、その上面１１ａには、使用者がその性別、生年月日、及び身長を入力するための入力スイッチ群１３と、使用者の足裏に接触して両足間の電位差を測定するための電極群１４と、使用者の体組成データ等を表示するための液晶表示部１５と、記憶装置１を取付けるための取付け部１６とが備えられている。また、側面１１ｂには、電源投入スイッチを兼ねた４つの個人キースイッチ１７ａ，１７ｂ，１７ｃ，１７ｄからなる個人キースイッチ群１７と、電源遮断スイッチ１８とが配設されている。
【００５１】
ここで、電極群１４は、使用者の左足裏に接触する電極１４ａ，１４ｂと、右足裏に接触する電極１４ｃ，１４ｄとからなり、このうち、各足の爪先側に接触する電極１４ａ，１４ｃを用いて両足間に微弱電流を流し、各足の踵側に接触する電極１４ｂ，１４ｄを用いて両足間の電位差（電圧）を測定し、これら電流値と電圧値とから生体電気インピーダンスを測定することが可能となっている。
【００５２】
そして、これら左足用電極１４ａ，１４ｂと右足用電極１４ｃ，１４ｄとに挟まれた本体上面１１ａの略中央に、後述する記憶装置１の取付け部１６が形成されている。この取付け部１６は、後述の記憶装置１を横倒した状態で嵌め込むことができる程度の大きさの、開閉蓋１６ａを備えた嵌め込み孔１６ｂとして形成されており、この嵌め込み孔１６ｂの内面に、記憶装置１との接続に用いる端子２１（図２参照）が設けられている。
【００５３】
もちろん、この取付け部１６を形成する位置や形状等はこの実施例に限定される必要はなく、記憶装置１や本体１１の大きさ等に応じて適切な位置や形状とすることができる。例えば、前記入力スイッチ群１３及び液晶表示部１５が本体１１から分離可能或いは独立したユニットで構成された生体情報取得装置があるが、このような生体情報取得装置においては、斯かるユニットに前記取付け部１６を設けても良い。
【００５４】
また、本体１１には、ロードセル１２、入力スイッチ群１３及び電極群１４からの入力を受付けて体組成データを算出するためのＣＰＵ、ＲＯＭ、ＲＡＭ等からなるマイコン２０が搭載されている。このマイコン２０には、記憶装置１のＵＳＢ端子２に対応した端子２１がデータバスＤ３を介して接続されている他、前記ロードセル１２に接続された秤回路２２と、前記入力スイッチ群１３に接続された入力回路２３と、前記電極群１４に接続されたインピーダンス回路２４と、前記液晶表示部１５に接続された表示出力回路２５と、記憶装置１とは別に個人情報や体組成データを本体１１に保存しておくための内部メモリたるＥＥＰＲＯＭ２６と、前記個人キースイッチ群１７及び電源遮断スイッチ１８と電池２８とに接続された電源回路２７とが、夫々のデータバス又は制御信号バスを介して接続されている。また、これらマイコン２０、端子２１及び各回路２２〜２５は、電力供給ラインＶ１を介して電源回路２７に接続されている。
【００５５】
そして、マイコン２０は、ロードセル１２及び秤回路２２からの入力に基づいて使用者の体重を特定し、入力スイッチ群１３及び入力回路２３からの入力に基づいて使用者の性別、年齢及び身長を特定し、電極群１４及びインピーダンス回路２４からの入力に基づいて使用者の生体電気インピーダンスを特定し、これら特定された性別、年齢、身長、体重及び生体電気インピーダンスに基づいて、使用者の体組成データを算出する。また、マイコン２０は、これら使用者の性別、年齢、身長、体重、及び体組成データを、表示出力回路２５を介して液晶表示部１５に出力して表示する。更に、マイコン２０は、これらの生体情報を、ＥＥＰＲＯＭ２６に保存すると共に端子２１を介して記憶装置１に出力する。この他にも、マイコン２０は、例えば内臓クロックによって年月日時を常時計時・更新する等、種々の機能を担うものである。
【００５６】
一方、記憶装置１は、ＵＳＢ（Universal Serial Bus）規格の端子を備えたパソコン用の外付けメモリとして既に種々の製品化がなされている公知の所謂ＵＳＢメモリ装置を改良したもので、概ねチューインガムのパッケージ程度の大きさと形状であり、長手方向の一端側にオス型のＵＳＢ端子２を有し、このＵＳＢ端子２に対応する端子を備えた本体１１及び情報処理装置３０に容易に接続可能とされている。そして、これら本体１１及び情報処理装置３０をホスト側機器として、夫々との間でデータ伝送を行うものである。
【００５７】
記憶装置１には、前記ＵＳＢ端子２と、このＵＳＢ端子２にデータバスＤ１を介して接続されたマイコン３と、このマイコン３にデータバスＤ２を介して接続されたＥＥＰＲＯＭ４とが搭載されている。また、マイコン３及びＥＥＰＲＯＭ４は電力供給ライン（不図示）を介してＵＳＢ端子２に接続されており、従ってこの記憶装置１は、ＵＳＢ規格に則った他の多くの機器と同様に、ＵＳＢ端子２を介してホスト側機器からの電力供給を受けて動作する。
【００５８】
尚、もちろん、このＥＥＰＲＯＭ４は、不揮発性メモリ等の書換え可能でデータ保持が可能な記憶媒体であれば良く、例えばフラッシュメモリ等を用いても良い。また、記憶装置１自体も、上述の如く所謂ＵＳＢメモリ装置を改良したものに限る必要はなく、本体１１に対して別体且つ着脱自在に構成されると共に生体情報を記憶するためのフラッシュメモリやＥＥＰＲＯＭ等が組込まれたものであればよく、公知の様々なタイプのメモリーカード等を用いることも可能である。
【００５９】
そして、この記憶装置１のＵＳＢ端子２を本体１１の端子２１に接続すると、本体１１で取得された生体情報が、ＵＳＢ端子２、データバスＤ１を介してマイコン３で受信されると共に、マイコン３からデータバスＤ２を介してＥＥＰＲＯＭ４に格納されるものである。
【００６０】
他方、情報処理装置３０は、ＵＳＢ規格のデータ伝送に対応した所謂デスクトップパソコンであって、メス型のＵＳＢ端子３１を備えている。また、この情報処理装置３０には、そのハードディスク内に体組成データを蓄積してゆくと共にその変化履歴をモニタ画面３２上に出力表示する等の機能を備えた履歴管理ソフトウェアや、記憶装置１を制御するためのドライバソフトウェアがインストールされている。
【００６１】
情報処理装置３０において上述の履歴管理ソフトウェアを起動し、且つ、記憶装置１のＵＳＢ端子２を情報処理装置３０のＵＳＢ端子３１に接続すると、記憶装置１のマイコン３は、ＥＥＰＲＯＭ４に格納されている生体情報をデータバスＤ２を介して読み出すと共に、データバスＤ１及びＵＳＢ端子２を介して情報処理装置３０に送信する。そして、情報処理装置３０では、履歴管理ソフトウェアに従って、受信した生体情報がモニタ画面３２に出力されて表示される。
【００６２】
尚、情報処理装置３０にインストールしておくプログラムソフトウェアとしては、上述の如き履歴管理ソフトウェアに加え、受信した生体情報をインターネット等を通じて他者（主治医等）に送信するもの等、種々のものが考えられる。
【００６３】
次に、この体組成情報取得システム１００において実行される制御処理について、図３及び図４のフローチャートを参照して説明する。また、併せて、モニタ画面３２の出力表示例を、図５から図１２を参照して説明する。
【００６４】
使用者が本体１１の個人キースイッチ１７ａ〜１７ｄの何れかを押下すると、電源回路２７を介して電池２８の電力が本体１１の各部に供給され、マイコン２０では、押下された個人キースイッチに対応する個人番号が特定されると共に、図３のフローチャートに従った制御処理が実行される。
【００６５】
先ず、ステップＳ１では、この本体１１の制御システム全体の初期化が行われる。この初期化処理により、例えばロードセル１２を用いた体重計の零点補正等、この後に行う生体情報の取得処理に必要な準備を整える。また、このとき、マイコン２０の内臓クロックによって計時・更新されている年月日時に基づいて、測定年月日データが特定される。
【００６６】
次いで、ステップＳ２では、現在の個人番号が登録済みであるか否かが確認される。具体的には、マイコン２０は、現在の個人番号に対応した使用者の性別及び生年月日の各データが内部メモリたるＥＥＰＲＯＭ２６に保存されている否かを確認し、これらのデータが保存されているときは、これらのデータを読み出すと共に現在の個人番号は登録済みであるとしてステップＳ７に進む。一方、これらのデータがＥＥＰＲＯＭ２６に保存されていないときは、現在の個人番号は未登録であるとしてステップＳ３に進む。
【００６７】
ステップＳ３では、マイコン２０は、液晶表示部１５に性別の入力選択肢を表示し、入力スイッチ群１３からの選択入力が行われると、この入力信号に基づいて使用者の性別データを特定する。
【００６８】
次いで、ステップＳ４では、マイコン２０は、液晶表示部１５に生年月日の入力選択肢を表示し、入力スイッチ群１３からの選択入力が行われると、この入力信号に基づいて、使用者の生年月日データを特定する。
【００６９】
次いで、ステップＳ５では、マイコン２０は、ステップＳ３で特定した性別データと、ステップＳ４で特定した生年月日データとを、現在の個人番号と共にＥＥＰＲＯＭ２６に保存する。
【００７０】
次いで、ステップＳ６では、マイコン２０は、ステップＳ５でＥＥＰＲＯＭ２６に保存したのと同じデータを、個人番号と共にデータバスＤ３及び端子２１を介して記憶装置１に送信する。このとき、記憶装置１では、マイコン４が、ＵＳＢ端子２及びデータバスＤ１を介してこれらのデータを受信し、データバスＤ２を介してＥＥＰＲＯＭ４に保存する。尚、記憶装置１が本体１１から取外されているときは、このステップＳ６はスキップされる。
【００７１】
次いで、ステップＳ７では、マイコン２０は、ステップＳ１で特定した測定年月日データと、ステップＳ２で読み出し又はステップＳ４で特定した生年月日データとから、使用者の年齢データを特定する。
【００７２】
次いで、ステップＳ８では、マイコン２０は、ステップＳ２で読み出し又はステップＳ３において特定した性別データと、ステップＳ７で特定した年齢データとを、これらを肯定又は否定するための入力選択肢と共に液晶表示部１５に表示する。そして、入力スイッチ群１３からこれらのデータを肯定する選択入力が行われた場合にはステップＳ９に進み、否定する選択入力が行われた場合にはステップＳ３に進む。
【００７３】
ステップＳ９では、マイコン２０は、液晶表示部１５に身長の入力選択肢を表示し、入力スイッチ群１３からの選択入力に基づいて、使用者の身長データを特定する。尚、斯かる身長データの特定は、例えばステップＳ４の直後に行うようにして、身長データも個人番号と共に登録するようにすることも可能である。但し、本実施例においては、成長過程にあって身長変化の著しい小児を使用者として想定していることから、身長データは本システムを使用する都度特定することとしている。また、電子カーソルや赤外線を利用した電子身長計等の身長測定装置を本体１１に付加しておき、斯かる身長測定装置の出力をマイコン２０に入力するような構成とすることも可能で、そのような構成とした場合には、小児であっても身長データの入力を略自動で行うことができるようになる。
【００７４】
次いで、ステップＳ１０では、マイコン２０は、ロードセル１２からの入力信号に基づいて使用者の体重データを特定する。尚、この際、液晶表示部１５に、使用者に対して両足を電極群１４に接触させて本体１１の上面１１ａに載るように促すメッセージやこれに類する記号等を表示させたり、斯かるメッセージや記号に代えて又は加えてブザーや音声によるガイダンスを出力させたりすると、小児にも解り易いシステムとなる。また、体重データは、例えばステップＳ９における身長の場合と同様に、入力スイッチ群１３からの選択入力に基づいて特定するようにしても良い。この場合は、ロードセル１２及び秤回路２２を省略することができる。
【００７５】
次いで、ステップＳ１１では、マイコン２０は、電極群１４（特に、電極１４ｂ及び１４ｄ）からの入力信号に基づいて、使用者の生体電気インピーダンスを特定する。尚、この生体電気インピーダンスは、本実施例においては前述したように使用者の両足間に生じる電位差から算出されるものであるが、これに限らず、両手間、手足間、その他身体中の任意の２点間に生じる電位差に基づいて算出するようにしても良い。
【００７６】
次いで、ステップＳ１２では、マイコン２０は、ここまでで特定された性別、年齢、身長、体重、生体電気インピーダンスの各データから、所定の回帰演算式を用いて使用者の体脂肪量（率）、体水分量（率）、筋肉量（率）、内蔵脂肪面積（レベル）、骨量、骨密度、ＢＣＭ（Body Cell Mass）、基礎代謝量等の体組成データを算出する。
【００７７】
次いで、ステップＳ１３では、マイコン２０は、ステップＳ１で特定した測定年月日データと、ステップＳ７で特定した年齢データと、ステップＳ９で特定した身長データと、ステップＳ１０で特定した体重データと、ステップＳ１２で算出した体組成データとを、現在の個人番号と共に内部メモリたるＥＥＰＲＯＭ２６に保存する。
【００７８】
次いで、ステップＳ１４では、マイコン２０は、ステップＳ１３でＥＥＰＲＯＭ２６に保存したのと同じデータを、個人番号と共にデータバスＤ３及び端子２１を介して記憶装置１に送信する。このとき、記憶装置１では、マイコン４が、ＵＳＢ端子２及びデータバスＤ１を介してこれらのデータを受信し、データバスＤ２を介してＥＥＰＲＯＭ４に保存する。尚、記憶装置１が本体１１から取外されているときは、このステップＳ１３はスキップされる。
【００７９】
次いで、ステップＳ１５では、マイコン２０は、ステップＳ９及びＳ１０で特定した身長データ及び体重データと、ステップＳ１２で算出した体組成データとを、所定時間（例えば、１分間）、液晶表示部１５に交互に出力表示する。その後、斯かる所定時間が経過すると、電池２８からの電力供給が自動的に遮断され、本体１１における制御処理は、全て終了する。
【００８０】
本体１１における制御処理が終了した後、使用者が、本体１１から記憶装置１を取外し、これを情報処理装置３０に接続してインストールされている履歴管理ソフトウェアを起動すると、情報処理装置３０において図４に示す如き制御が実行される。
【００８１】
先ず、ステップＳ３１では、情報処理装置３０に記憶装置１が接続されているか否かの確認が行われる。記憶装置１が接続されている場合は、ステップＳ３２に進み、接続されていない場合はステップＳ３４に進む。
【００８２】
ステップＳ３２では、前記ステップＳ６及びＳ１４で記憶装置１のＥＥＰＲＯＭ４に保存された各データが、各データに対応した個人番号と共に情報処理装置３０に送信される。
【００８３】
次いで、ステップＳ３３では、ステップＳ３２で記憶装置１から送信された各データが、それぞれの個人番号と共に情報処理装置３０のＨＤＤ（ハードディスクドライブ）に蓄積される。
【００８４】
次いで、ステップＳ３４では、個人番号を特定するための入力を受付ける。使用者が情報処理装置３０の入力デバイス（マウス、キーボード等）を用いて個人番号を特定するための入力を行うと（例えば、モニタ画面３２に表示されている個人番号をクリックする等）、ステップＳ３５に進む。
【００８５】
次いで、ステップＳ３５では、ステップＳ３４で入力された個人番号に対応した体組成データ等の各データが、ＨＤＤから読み出される。
【００８６】
次いで、ステップＳ３６では、ステップＳ３５で読み出された各データのうち、年齢データに基づいて、モニタ画面３２への出力表示形態が決定される。本実施例においては、使用者（閲覧者）として小児を想定した出力形態とそれ以外の者を想定した出力形態との２種類（以下、便宜的に、前者を「小児用出力形態」と称し、後者を「成人用出力形態」と称する。）が予め用意されており、年齢データが１２歳以下を示す場合には小児用出力形態が、年齢データが１３歳以上を示す場合には成人用出力形態が、夫々選択的に決定されるものである。尚、もちろん、斯かる出力形態は、年齢データに応じて決定される以外に、使用者が任意に選択できるようにしても良く、またその種類も、３種類以上用意しておいても良い。
【００８７】
次いで、ステップＳ３７では、ステップＳ３６で決定された出力形態に従って、モニタ画面３２に体組成データ等の各データが出力表示される。
【００８８】
図５は、ステップＳ３７におけるモニタ画面３２への出力表示の一例であって、ＨＤＤに蓄積されている体組成データを年齢データ及び測定年月日データと共に一覧表として出力することで、年齢の変化に対する体組成データの変化履歴を出力している。また、使用者である海ちゃん（仮名）は現在１１歳なので、小児用出力形態が選択されており、ひらがなを多用した一覧表となっている。
【００８９】
図６は、ステップＳ３７におけるモニタ画面３２への出力表示の別の例であって、海ちゃんの体組成データが、漫画チックなイラストと共に出力されている。斯かるイラストは、各体組成データが身体のどの部分を構成するものであるのかを理解できるよう、身体とその体組成を模式的に表すものとされている。尚、使用者の体脂肪率が増えたらイラストの体型が肥ったり、筋肉量が増えたら顔が笑ったりと、体組成データの変化に応じてイラストの体型や表情が変わるようにしても良い。
【００９０】
図７は、ステップＳ３７におけるモニタ画面３２への出力表示の別の例であって、海ちゃんの体組成データが、横軸を身長とし、縦軸を体組成データとしたグラフとして出力されている。このグラフでは、筋肉量、体脂肪量、骨量といった複数の体組成データが、同じ画面上に表示されている。また、グラフ上、海ちゃんの各体組成データは、●印とこれを繋ぐ曲線で表されており、最新のデータについては別の記号が用いられている。このようなグラフにより、使用者の身長の変化に対する体組成データの変化履歴を解り易く捉えることができ、被測定者が小児であってもその体組成の変化の適否検討に供することができる。
【００９１】
また、図７の出力表示においては、各体組成データごとに、参照曲線が表示されている。これらの参照曲線は、予め多数の被測定者について測定した体組成データを、身長ごとにパーセンタイル法にて区分してプロットしたもので、各体組成について、図中、上から、９５パーセンタイル、９０パーセンタイル、５０パーセンタイル、５パーセンタイルを表している。このような参照曲線により、使用者の身長の変化に対する体組成の変化を、他者との比較で捉えることができる。尚、斯かる参照曲線は、パーセンタイル法に限らず、例えば標準偏差法にて作成しても良い。
【００９２】
また、図７の出力表示においては、各体組成データについて、グラフ上に、「きんにくふえるとき」、「たいしぼうふえるとき」、「ほねがふえるとき」等といったコメントが、所定の身長範囲を指し示す矢印と共に出力されている。このように、所定の身長範囲における体組成の変化の一般傾向に関するコメントがグラフ上に出力されることで、使用者の体組成変化の適否検討に役立てることができる。
【００９３】
また、図７の出力表示においては、各体組成データについて、グラフの右横に、「きんにくりょう  同じ年のお友達のなかではおおめのひょうじゅん」、「たいしぼうりょう  同じ年のお友達のなかではおおい」、「こつりょう  同じ年のお友達のなかではおおめのひょうじゅん」等といったコメントが出力されている。斯かるコメントは、予め多数の被測定者について測定した体組成データを年齢ごとにパーセンタイル法にて区分しておき、使用者の体組成データが同年齢の５パーセンタイル未満であるときを「非常に少ない」、５パーセンタイル以上５０パーセンタイル未満であるときを「少なめ標準」、５０パーセンタイル以上９０パーセンタイル未満であるときを「多めの標準」、９０パーセンタイル以上９５パーセンタイル未満であるときを「多い」、９５パーセンタイル以上であるときを「非常に多い」として設定されているものである。このように、使用者体組成データを現在の年齢において標準的な体組成データと比較したコメントを出力することで、使用者の体組成変化の適否検討に役立てることができる。
【００９４】
また、図７の出力表示においては、グラフの上部に、「前の年よりたいしぼう、きんにく、ほねともふえているよ。」等といったコメントが出力されている。斯かるコメントは、ＨＤＤに蓄積されている使用者の過去の体組成データと最新の体組成データとの比較に基づいて出力されるもので、このようなコメントを出力することで、使用者の体組成変化の適否検討に役立てることができる。
【００９５】
図８は、ステップＳ３７におけるモニタ画面３２への出力表示の更に別の例であって、使用者たる陸くん（仮名）の体組成データが、図５と同様の一覧表にて出力されている。陸くんは、既に１６歳であるので、ステップＳ３６において成人用出力形態が選択されており、従って体組成は漢字表記とされている。
【００９６】
図９は、ステップＳ３７におけるモニタ画面３２への出力表示の更に別の例であって、陸くんの体組成データが、図７と同様の横軸を身長とし縦軸を体組成データとしたグラフとして、上述したのと同様のコメントと共に出力されている。成人用出力形態であるために漢字が多いこと以外は図７と特に変わるところがないため、グラフやコメントについての説明は割愛する。
【００９７】
図１０は、ステップＳ３７におけるモニタ画面３２への出力表示の更に別の例であって、陸くんの体組成データが、横軸を年齢とし縦軸を体組成データとしたグラフとして出力されている。このグラフでは、筋肉量、体脂肪量、骨量といった複数の体組成データが、同じ画面上に表示されている。また、グラフ上、陸くんの各体組成データは、●印とこれを繋ぐ曲線で表されており、最新のデータについては別の記号が用いられている。このようなグラフにより、使用者の年齢の変化に対する体組成データの変化履歴を解り易く捉えることができ、被測定者が小児であってもその体組成の変化の適否検討に供することができる。
【００９８】
また、図１０の出力表示においては、各体組成データごとに、参照曲線が表示されている。これらの参照曲線は、予め多数の被測定者について測定した体組成データを、年齢ごとにパーセンタイル法にて区分してプロットしたもので、各体組成について、図中、上から、９５パーセンタイル、９０パーセンタイル、５０パーセンタイル、５パーセンタイルを表している。このような参照曲線により、使用者の年齢の変化に対する体組成の変化を、他者との比較で捉えることができる。尚、斯かる参照曲線は、パーセンタイル法に限らず、例えば標準偏差法にて作成しても良い。
【００９９】
また、図１０の出力表示においては、各体組成データについて、グラフ上に、「筋肉増加中」、「体脂肪少しずつ増加」、「骨量増加中」等といったコメントが、所定の年齢範囲を指し示す矢印と共に出力されている。このように、所定の年齢範囲における体組成の変化の一般傾向に関するコメントがグラフ上に出力されることで、使用者の体組成変化の適否検討に役立てることができる。
【０１００】
また、図１０の出力表示においては、各体組成データについて、グラフの右横に、「筋肉量  同じ身長のなかでは多めの標準」、「体脂肪量  同じ身長のなかでは多めの標準」、「骨量  同じ身長のなかでは多めの標準」等といったコメントが出力されている。斯かるコメントは、予め多数の被測定者について測定した体組成データを身長ごとにパーセンタイル法にて区分しておき、使用者の体組成データが同身長の５パーセンタイル未満であるときを「非常に少ない」、５パーセンタイル以上５０パーセンタイル未満であるときを「少なめ標準」、５０パーセンタイル以上９０パーセンタイル未満であるときを「多めの標準」、９０パーセンタイル以上９５パーセンタイル未満であるときを「多い」、９５パーセンタイル以上であるときを「非常に多い」として設定されているものである。このように、使用者体組成データを現在の身長において標準的な体組成データと比較したコメントを出力することで、使用者の体組成変化の適否検討に役立てることができる。
【０１０１】
また、図１０の出力表示においては、グラフの上部に、「昨年より筋肉、脂肪、骨すべてがやや増加。」等といったコメントが出力されている。斯かるコメントは、ＨＤＤに蓄積されている使用者の過去の体組成データと最新の体組成データとの比較に基づいて出力されるもので、このようなコメントを出力することで、使用者の体組成変化の適否検討に役立てることができる。
【０１０２】
図１１は、ステップＳ３７におけるモニタ画面３２への出力表示の更にまた別の例であって、陸くんの体組成データが、横軸を年齢とし縦軸を体組成データの変化率としたグラフとして出力されている。体組成データの変化率は、ＨＤＤに蓄積されている各体組成データの差分から求めたもので、例えば、時点ｎにおける体組成データをＤｎ、求めるべき変化率をΔＤｎとした場合、ΔＤｎ＝（Ｄｎ−Ｄｎ−１）÷Ｄｎ−１×１００の計算式によって求めることができる。尚、図１１のグラフは、時点ｎを年齢で区分したもので、各年齢（生年月日）の時点で取得した体組成データに基づいて出力されている。もちろん、この時点ｎは、月ごと、週ごと、日ごとで区分しても良い。このようなグラフにより、所定期間ごとに使用者の体組成がどの程度変化したのかを解り易く捉えることができ、使用者が成長過程にある小児であってもその体組成の変化の適否検討に供することができる。
【０１０３】
また、図１１の出力表示においても、グラフ上に、「筋肉増加中」、「体脂肪徐々に増加」、「骨量増加中」等といったコメントが、所定の年齢範囲を指し示す矢印と共に出力されている。このように、所定の年齢範囲における体組成の変化の一般傾向に関するコメントがグラフ上に出力されることで、使用者の体組成変化の適否検討に役立てることができる。
【０１０４】
図１２は、ステップＳ３７におけるモニタ画面３２への出力表示の更にまた別の例であって、陸くんの各年齢時における体組成データについての評価コメントやアドバイスが一覧表として出力されている。このような出力は使用者の励みになる。
【０１０５】
以上説明してきたように、本実施例の体組成情報取得システム１００においては、生体情報取得装置１０の本体１１に組込まれたロードセル１２及び秤回路２２と入力スイッチ群１３及び入力回路２３と電極群１４及びインピーダンス回路２４とが被測定者の少なくとも性別、年齢、身長、体重及び生体電気インピーダンスを特定するための情報を入力するための入力手段を構成し、マイコン２０が入力された情報に基づいて被測定者の体組成データを算出するための演算手段を構成し、情報処理装置３０が算出された体組成データを出力するための出力手段を構成している。また、情報処理装置３０が、入力された個人情報及び算出された体組成データを蓄積するための蓄積手段を構成し、更には、この蓄積された体組成データに基づいて所定期間ごとの体組成データの変化率を算出する演算手段、この変化率を蓄積する蓄積手段、この変化率の変化履歴を出力する出力手段を構成している。そして、出力手段が上述したような種々の出力を行うことで、被測定者が小児である場合にも適した体組成情報取得システムとなっている。
【０１０６】
尚、本発明は、本実施例の構成に限定されるものではなく、本実施例と共に説明してきた変形はもちろん、例えば出力手段をマイコン２０と液晶表示部１５とで構成したり（この場合、情報処理装置３０は不要である。）、生体情報取得装置１０と情報処理装置３０とを通信ケーブルや無線通信にて接続させたり（この場合、記憶装置１は不要である。）といった種々の変形が可能である。
【図面の簡単な説明】
【０１０７】
【図１】本発明の好適実施例としての体組成情報取得システム１００の外観斜視図。
【図２】生体情報取得装置１０に内蔵された電気回路の概要を示すブロック図。
【図３】体組成情報取得システム１００（生体情報取得装置１０）における制御処理の流れを示すフローチャート。
【図４】体組成情報取得システム１００（情報処理装置３０）における制御処理の流れを示すフローチャート。
【図５】体組成情報取得システム１００における出力の例を示す図。
【図６】体組成情報取得システム１００における出力の別の例を示す図。
【図７】体組成情報取得システム１００における出力の別の例を示す図。
【図８】体組成情報取得システム１００における出力の別の例を示す図。
【図９】体組成情報取得システム１００における出力の別の例を示す図。
【図１０】体組成情報取得システム１００における出力の別の例を示す図。
【図１１】体組成情報取得システム１００における出力の別の例を示す図。
【図１２】体組成情報取得システム１００における出力の別の例を示す図。
【符号の説明】
【０１０８】
１  記憶装置
２  端子
３  アナログスイッチ
４  マイコン
５  ＥＥＰＲＯＭ
１０  生体情報取得装置
１１  本体
１２  ロードセル
１３  入力スイッチ群
１４  電極群
１４ａ、１４ｂ、１４ｃ、１４ｄ  電極
１５  液晶表示部
１６  取付け部
１６ａ  開閉蓋
１６ｂ  嵌め込み孔
１７  電源投入スイッチ（個人キースイッチ群）
１７ａ、１７ｂ、１７ｃ、１７ｄ  個人キースイッチ
１８  電源遮断スイッチ
２０  マイコン
２１  端子
２２  秤回路
２３  入力回路
２４  インピーダンス回路
２５  表示出力回路
２６  ＥＥＰＲＯＭ
２７  電源回路
２８  電池
３０  情報処理装置
３１  端子
１００  体組成情報取得システム
【図１】
2005245669.tif 000003
【図２】
2005245669.tif 000004
【図３】
2005245669.tif 000005
【図４】
2005245669.tif 000006
【図５】
2005245669.tif 000007
【図６】
2005245669.tif 000008
【図７】
2005245669.tif 000009
【図８】
2005245669.tif 000010
【図９】
2005245669.tif 000011
【図１０】
2005245669.tif 000012
【図１１】
2005245669.tif 000013
【図１２】
2005245669.tif 000014